【手続補正書】
【提出日】平成23年5月13日(2011.5.13)
【手続補正１】
【補正対象書類名】特許請求の範囲
【補正対象項目名】全文
【補正方法】変更
【補正の内容】
【特許請求の範囲】
【請求項１】
リーダライタとの間で信号の送受信を行う通信部と、
データが記録されるとともに、前記リーダライタとの間で共通に使用される鍵である共通鍵が記録された記録部と、
前記リーダライタが前記記録部に記録された前記共通鍵と同一の鍵によって暗号化した暗号鍵を含んだ暗号鍵更新要求信号を、前記リーダライタから前記通信部を介して受信すると、当該暗号鍵更新要求信号に含まれた当該暗号化した暗号鍵を、前記記録部に記録された前記共通鍵によって復号し、復号して得た暗号鍵を前記記録部に記録し、前記リーダライタが当該暗号鍵と同一の暗号鍵によって暗号化した、前記記録部におけるデータ読み出し元の領域を指定する読み出し対象アドレスを含んだ読み出し要求信号を、前記リーダライタから前記通信部を介して受信すると、当該読み出し要求信号に含まれた当該暗号化した読み出し対象アドレスを、前記記録部に記録した前記暗号鍵によって復号し、前記記録部の領域のうち、当該復号して得た読み出し対象アドレスで指定される領域に記録されたデータを、前記通信部を介して前記リーダライタに送信する制御部と、
を備える、通信装置。
【請求項２】
前記制御部は、
前記リーダライタから、前記通信部を介して、書き込み要求信号を受信した場合に、当該書き込み要求信号に含まれる暗号鍵更新要求フラグを判定し、当該暗号鍵更新要求フラグに暗号鍵更新を要求する旨の値が設定されていると判定した場合には、当該書き込み要求信号が前記暗号鍵更新要求信号であると認識する、請求項１に記載の通信装置。
【請求項３】
リーダライタとの間で信号の送受信を行う通信部と、
データが記録されるとともに、前記リーダライタとの間で共通に使用される鍵である共通鍵が記録された記録部と、
暗号鍵の生成を要求する旨を示す暗号鍵生成要求信号を、前記リーダライタから前記通信部を介して受信すると、所定の手順で暗号鍵を生成し、当該生成した暗号鍵を、前記記録部に記録された前記共通鍵によって暗号化し、当該暗号化した暗号鍵を含んだ暗号鍵生成応答信号を、前記通信部を介して前記リーダライタに送信し、前記リーダライタが暗号化した書き込み対象データと暗号化した前記記録部における当該書き込み対象データの書き込み先の領域を指定する書き込み対象アドレスとを含んだ書き込み要求信号を、前記通信部を介して受信すると、当該暗号化した書き込み対象データ及び当該暗号化した書き込み対象アドレスを、前記記録部に記録した前記暗号鍵によって復号し、前記記録部の領域のうち、当該復号して得た書き込み対象アドレスで指定される領域に、当該復号して得た書き込み対象データを記録する制御部と、
を備える、通信装置。
【請求項４】
リーダライタとの間で信号の送受信を行う通信部と、
データが記録されるとともに、前記リーダライタとの間で共通に使用される鍵として読み出し用共通鍵及び書き込み用共通鍵が記録された記録部と、
前記リーダライタが前記記録部に記録された前記読み出し用共通鍵と同一の鍵によって暗号化した暗号鍵を含んだ暗号鍵更新要求信号を、前記リーダライタから前記通信部を介して受信すると、当該暗号鍵更新要求信号に含まれた当該暗号化した暗号鍵を、前記記録部に記録された前記読み出し用共通鍵によって復号し、復号して得た暗号鍵を前記記録部に記録し、前記リーダライタが当該暗号鍵と同一の暗号鍵によって暗号化した、前記記録部におけるデータ読み出し元の領域を指定する読み出し対象アドレスを含んだ読み出し要求信号を、前記リーダライタから前記通信部を介して受信すると、当該読み出し要求信号に含まれた当該暗号化した読み出し対象アドレスを、前記記録部に記録した前記暗号鍵によって復号し、前記記録部の領域のうち、当該復号して得た読み出し対象アドレスで指定される領域に記録されたデータを、前記通信部を介して前記リーダライタに送信し、暗号鍵の生成を要求する旨を示す暗号鍵生成要求信号を、前記リーダライタから前記通信部を介して受信すると、所定の手順で暗号鍵を生成し、当該生成した暗号鍵を、前記記録部に記録された前記書き込み用共通鍵によって暗号化し、当該暗号化した暗号鍵を含んだ暗号鍵生成応答信号を、前記通信部を介して前記リーダライタに送信し、前記リーダライタが暗号化した書き込み対象データと暗号化した前記記録部における当該書き込み対象データの書き込み先の領域を指定する書き込み対象アドレスとを含んだ書き込み要求信号を、前記通信部を介して受信すると、当該暗号化した書き込み対象データ及び当該暗号化した書き込み対象アドレスを、前記記録部に記録した前記暗号鍵によって復号し、前記記録部の領域のうち、当該復号して得た書き込み対象アドレスで指定される領域に、当該復号して得た書き込み対象データを記録する制御部と、
を備える、通信装置。
【請求項５】
リーダライタとの間で信号の送受信を行う通信部と、データが記録されるとともに、前記リーダライタとの間で共通に使用される鍵である共通鍵が記録された記録部と、を備える通信装置の制御部が、
前記リーダライタが前記記録部に記録された前記共通鍵と同一の鍵によって暗号化した暗号鍵を含んだ暗号鍵更新要求信号を、前記リーダライタから前記通信部を介して受信すると、当該暗号鍵更新要求信号に含まれた当該暗号化した暗号鍵を、前記記録部に記録された前記共通鍵によって復号するステップと、
復号して得た暗号鍵を前記記録部に記録するステップと、
前記リーダライタが当該暗号鍵と同一の暗号鍵によって暗号化した、前記記録部におけるデータ読み出し元の領域を指定する読み出し対象アドレスを含んだ読み出し要求信号を、前記リーダライタから前記通信部を介して受信すると、当該読み出し要求信号に含まれた当該暗号化した読み出し対象アドレスを、前記記録部に記録した前記暗号鍵によって復号するステップと、
前記記録部の領域のうち、当該復号して得た読み出し対象アドレスで指定される領域に記録されたデータを、前記通信部を介して前記リーダライタに送信するステップと、
を含んで実行する、通信方法。
【請求項６】
データが記録される第１記録部を備える通信装置との間で信号の送受信を行う通信部と、
前記通信装置との間で共通に使用される鍵である共通鍵が記録された第２記録部と、
所定の手順で暗号鍵を生成し、当該生成した暗号鍵を、前記第２記録部に記録された前記共通鍵によって暗号化し、当該暗号化した暗号鍵を含んだ暗号鍵更新要求信号を、前記通信部を介して前記通信装置に送信し、前記生成した暗号鍵によって前記第１記録部におけるデータ読み出し元の領域を指定する読み出し対象アドレスを暗号化し、当該暗号化した読み出し対象アドレスを含んだ読み出し要求信号を、前記通信部を介して前記通信装置に送信する制御部と、
を備える、リーダライタ。
【請求項７】
データが記録される第１記録部を備える通信装置との間で信号の送受信を行う通信部と、
前記通信装置との間で共通に使用される鍵である共通鍵が記録された第２記録部と、
暗号鍵の生成を要求する旨を示す暗号鍵生成要求信号を、前記通信部を介して前記通信装置に送信し、前記通信装置が前記第２記録部に記録された前記共通鍵と同一の鍵によって暗号化した暗号鍵を含んだ暗号鍵生成応答信号を、前記通信装置から前記通信部を介して受信すると、当該暗号鍵生成応答信号に含まれた当該暗号化した暗号鍵を、前記第２記録部に記録された前記共通鍵によって復号し、復号して得た暗号鍵を前記第２記録部に記録し、書き込み対象データと前記第１記録部における当該書き込み対象データの書き込み先の領域を指定する書き込み対象アドレスとを、前記第２記録部に記録した前記暗号鍵によって暗号化し、当該暗号化した書き込み対象データ及び当該暗号化した書き込み対象アドレスを含んだ書き込み要求信号を、前記通信部を介して前記通信装置に送信する制御部と、
を備える、リーダライタ。
【請求項８】
データが記録される第１記録部を備える通信装置との間で信号の送受信を行う通信部と、
前記通信装置との間で共通に使用される鍵として読み出し用共通鍵及び書き込み用共通鍵が記録された第２記録部と、
データを読み出すに際して、所定の手順で暗号鍵を生成し、当該生成した暗号鍵を、前記第２記録部に記録された前記読み出し用共通鍵によって暗号化し、当該暗号化した暗号鍵を含んだ暗号鍵更新要求信号を、前記通信部を介して前記通信装置に送信し、前記生成した暗号鍵によって前記第１記録部におけるデータ読み出し元の領域を指定する読み出し対象アドレスを暗号化し、当該暗号化した読み出し対象アドレスを含んだ読み出し要求信号を、前記通信部を介して前記通信装置に送信し、データを書き込むに際して、暗号鍵の生成を要求する旨を示す暗号鍵生成要求信号を、前記通信部を介して前記通信装置に送信し、前記通信装置が前記第２記録部に記録された前記書き込み用共通鍵と同一の鍵によって暗号化した暗号鍵を含んだ暗号鍵生成応答信号を、前記通信装置から前記通信部を介して受信すると、当該暗号鍵生成応答信号に含まれた当該暗号化した暗号鍵を、前記第２記録部に記録された前記書き込み用共通鍵によって復号し、復号して得た暗号鍵を前記第２記録部に記録し、書き込み対象データと前記第１記録部における当該書き込み対象データの書き込み先の領域を指定する書き込み対象アドレスとを、前記第２記録部に記録した前記暗号鍵によって暗号化し、当該暗号化した書き込み対象データ及び当該暗号化した書き込み対象アドレスを含んだ書き込み要求信号を、前記通信部を介して前記通信装置に送信する制御部と、
を備える、リーダライタ。
【請求項９】
リーダライタと、通信装置とを備える、通信システムであって、
前記通信装置は、
前記リーダライタとの間で信号の送受信を行う通信部と、
データが記録されるとともに、前記リーダライタとの間で共通に使用される鍵である共通鍵が記録された第１記録部と、
前記リーダライタが前記第１記録部に記録された前記共通鍵と同一の鍵によって暗号化した暗号鍵を含んだ暗号鍵更新要求信号を、前記リーダライタから前記通信部を介して受信すると、当該暗号鍵更新要求信号に含まれた当該暗号化した暗号鍵を、前記第１記録部に記録された前記共通鍵によって復号し、復号して得た暗号鍵を前記第１記録部に記録し、前記リーダライタが当該暗号鍵と同一の暗号鍵によって暗号化した、前記第１記録部におけるデータ読み出し元の領域を指定する読み出し対象アドレスを含んだ読み出し要求信号を、前記リーダライタから前記通信部を介して受信すると、当該読み出し要求信号に含まれた当該暗号化した読み出し対象アドレスを、前記第１記録部に記録した前記暗号鍵によって復号し、前記第１記録部の領域のうち、当該復号して得た読み出し対象アドレスで指定される領域に記録されたデータを、前記通信部を介して前記リーダライタに送信する制御部と、
を有し、
前記リーダライタは、
前記通信装置との間で信号の送受信を行う通信部と、
前記通信装置との間で共通に使用される鍵である共通鍵が記録された第２記録部と、
所定の手順で暗号鍵を生成し、当該生成した暗号鍵を、前記第２記録部に記録された前記共通鍵によって暗号化し、当該暗号化した暗号鍵を含んだ暗号鍵更新要求信号を、前記通信部を介して前記通信装置に送信し、前記生成した暗号鍵によって前記第１記録部におけるデータ読み出し元の領域を指定する読み出し対象アドレスを暗号化し、当該暗号化した読み出し対象アドレスを含んだ読み出し要求信号を、前記通信部を介して前記通信装置に送信する制御部と、
を有する、通信システム。
【請求項１０】
リーダライタと、通信装置とを備える、通信システムであって、
前記通信装置は、
前記リーダライタとの間で信号の送受信を行う通信部と、
データが記録されるとともに、前記リーダライタとの間で共通に使用される鍵である共通鍵が記録された第１記録部と、
暗号鍵の生成を要求する旨を示す暗号鍵生成要求信号を、前記リーダライタから前記通信部を介して受信すると、所定の手順で暗号鍵を生成し、当該生成した暗号鍵を、前記第１記録部に記録された前記共通鍵によって暗号化し、当該暗号化した暗号鍵を含んだ暗号鍵生成応答信号を、前記通信部を介して前記リーダライタに送信し、前記リーダライタが暗号化した書き込み対象データと暗号化した前記第１記録部における当該書き込み対象データの書き込み先の領域を指定する書き込み対象アドレスとを含んだ書き込み要求信号を、前記通信部を介して受信すると、当該暗号化した書き込み対象データ及び当該暗号化した書き込み対象アドレスを、前記第１記録部に記録した前記暗号鍵によって復号し、前記第１記録部の領域のうち、当該復号して得た書き込み対象アドレスで指定される領域に、当該復号して得た書き込み対象データを記録する制御部と、
を有し、
前記リーダライタは、
前記通信装置との間で信号の送受信を行う通信部と、
前記通信装置との間で共通に使用される鍵である共通鍵が記録された第２記録部と、
暗号鍵の生成を要求する旨を示す暗号鍵生成要求信号を、前記通信部を介して前記通信装置に送信し、前記通信装置が前記第２記録部に記録された前記共通鍵と同一の鍵によって暗号化した暗号鍵を含んだ暗号鍵生成応答信号を、前記通信装置から前記通信部を介して受信すると、当該暗号鍵生成応答信号に含まれた当該暗号化した暗号鍵を、前記第２記録部に記録された前記共通鍵によって復号し、復号して得た暗号鍵を前記第２記録部に記録し、書き込み対象データと前記第１記録部における当該書き込み対象データの書き込み先の領域を指定する書き込み対象アドレスとを、前記第２記録部に記録した前記暗号鍵によって暗号化し、当該暗号化した書き込み対象データ及び当該暗号化した書き込み対象アドレスを含んだ書き込み要求信号を、前記通信部を介して前記通信装置に送信する制御部と、
を有する、通信システム。
【請求項１１】
リーダライタと、通信装置とを備える、通信システムであって、
前記通信装置は、
前記リーダライタとの間で信号の送受信を行う通信部と、
データが記録されるとともに、前記リーダライタとの間で共通に使用される鍵として読み出し用共通鍵及び書き込み用共通鍵が記録された第１記録部と、
前記リーダライタが前記第１記録部に記録された前記読み出し用共通鍵と同一の鍵によって暗号化した暗号鍵を含んだ暗号鍵更新要求信号を、前記リーダライタから前記通信部を介して受信すると、当該暗号鍵更新要求信号に含まれた当該暗号化した暗号鍵を、前記第１記録部に記録された前記読み出し用共通鍵によって復号し、復号して得た暗号鍵を前記第１記録部に記録し、前記リーダライタが当該暗号鍵と同一の暗号鍵によって暗号化した、前記第１記録部におけるデータ読み出し元の領域を指定する読み出し対象アドレスを含んだ読み出し要求信号を、前記リーダライタから前記通信部を介して受信すると、当該読み出し要求信号に含まれた当該暗号化した読み出し対象アドレスを、前記第１記録部に記録した前記暗号鍵によって復号し、前記第１記録部の領域のうち、当該復号して得た読み出し対象アドレスで指定される領域に記録されたデータを、前記通信部を介して前記リーダライタに送信し、暗号鍵の生成を要求する旨を示す暗号鍵生成要求信号を、前記リーダライタから前記通信部を介して受信すると、所定の手順で暗号鍵を生成し、当該生成した暗号鍵を、前記第１記録部に記録された前記書き込み用共通鍵によって暗号化し、当該暗号化した暗号鍵を含んだ暗号鍵生成応答信号を、前記通信部を介して前記リーダライタに送信し、前記リーダライタが暗号化した書き込み対象データと暗号化した前記第１記録部における当該書き込み対象データの書き込み先の領域を指定する書き込み対象アドレスとを含んだ書き込み要求信号を、前記通信部を介して受信すると、当該暗号化した書き込み対象データ及び当該暗号化した書き込み対象アドレスを、前記第１記録部に記録した前記暗号鍵によって復号し、前記第１記録部の領域のうち、当該復号して得た書き込み対象アドレスで指定される領域に、当該復号して得た書き込み対象データを記録する制御部と、
を有し、
前記リーダライタは、
前記通信装置との間で信号の送受信を行う通信部と、
前記通信装置との間で共通に使用される鍵として読み出し用共通鍵及び書き込み用共通鍵が記録された第２記録部と、
データを読み出すに際して、所定の手順で暗号鍵を生成し、当該生成した暗号鍵を、前記第２記録部に記録された前記読み出し用共通鍵によって暗号化し、当該暗号化した暗号鍵を含んだ暗号鍵更新要求信号を、前記通信部を介して前記通信装置に送信し、前記生成した暗号鍵によって前記第１記録部におけるデータ読み出し元の領域を指定する読み出し対象アドレスを暗号化し、当該暗号化した読み出し対象アドレスを含んだ読み出し要求信号を、前記通信部を介して前記通信装置に送信し、データを書き込むに際して、暗号鍵の生成を要求する旨を示す暗号鍵生成要求信号を、前記通信部を介して前記通信装置に送信し、前記通信装置が前記第２記録部に記録された前記書き込み用共通鍵と同一の鍵によって暗号化した暗号鍵を含んだ暗号鍵生成応答信号を、前記通信装置から前記通信部を介して受信すると、当該暗号鍵生成応答信号に含まれた当該暗号化した暗号鍵を、前記第２記録部に記録された前記書き込み用共通鍵によって復号し、復号して得た暗号鍵を前記第２記録部に記録し、書き込み対象データと前記第１記録部における当該書き込み対象データの書き込み先の領域を指定する書き込み対象アドレスとを、前記第２記録部に記録した前記暗号鍵によって暗号化し、当該暗号化した書き込み対象データ及び当該暗号化した書き込み対象アドレスを含んだ書き込み要求信号を、前記通信部を介して前記通信装置に送信する制御部と、
を有する、通信システム。